(57)【要約】【課題】軽量かつコンパクトであり、持ち運びが容易で、車いす等に設置することにより、着座した人の体位を安定して保持可能な可搬式バックレストを提供する。【解決手段】可搬式バックレスト１は、ほぼ四角形状のシート部材２の両端に支柱３，３を備えており、往診先にて車椅子１０の背もたれ１１に立て掛けて使用する。その際、患者の後頭部付け根と可搬式バックレスト１との間に枕を挿入することが可能であるため、患者の背中から頭部にかけて安定してその体位を維持することができる。【選択図】図２
2014151142.tif 000002
【特許請求の範囲】
【請求項１】
略四角形状のシート部材の両端にそれぞれ支柱を設けたことを特徴とする可搬式バックレスト。
【請求項２】
前記前記シート部材の前記支柱近傍位置に、面ファスナーを設けたことを特徴とする請求項１に記載の可搬式バックレスト。
【請求項３】
前記シートに複数の前記支柱装着部を設けたことを特徴とする請求項１に記載の可搬式バックレスト。
【請求項４】
前記シート部材に、枕取付部材を設けたことを特徴とする請求項１〜３のいずれか１に記載の可搬式バックレスト。
【請求項５】
前記支柱が可撓性部材からなることを特徴とする請求項１〜５のいずれか１に記載の可搬式バックレスト。
【請求項６】
前記支柱の剛性が長手方向の両端部で異なることを特徴とする請求項５に記載の可搬式バックレスト。
【発明の詳細な説明】
【技術分野】
【０００１】
本発明は、可搬式バックレストに関し、詳しくは、持ち運びが容易で、車いす等に設置することにより、着座した人の体位を安定して保持可能な可搬式バックレストに関する。
【背景技術】
【０００２】
近年の高齢化社会を背景に、高齢者や自宅療養者の介護サービスが社会的に要請されている。そして、医療面においても、自宅での歯科治療のニーズが高くなってきており、歯科の巡回在宅診療の普及が重要となってきている。
【０００３】
ところで、在宅で歯科治療を行う場合は、患者を車いす等に着座させて行うことが多いが、歯科診療には、内科診療等とは異なり、患者の口腔内を十分観察できるように、患者の姿勢を仰向けにする必要がある。しかしながら、車いすは通常ヘッドレストを備えておらず、また、バックレスト（背もたれ）部分の高さも十分ではないため、治療の際に、患者が状態で首を後ろに反らせた状態で開口しなければならず、姿勢を安定させることは難しい。このため、例えば、衛生士や看護士らのアシスタントが患者の後ろに回って、患者の頭部を背後から支えることも行われているが、この場合でも、患者の頭部は不安定な状態であり、患者は安心して治療が受けられないといった問題がある。
【０００４】
また、車いす使用者の頭部を支える装置として、車いすに装着可能なヘッドレストも、例えば、特許文献１あるいは特許文献２に開示されている。図９は、特許文献１に開示されたヘッドレストを示すものであり、図中、２０は車椅子、２４は安頭台で、該安頭台２４は、車椅子２０の把持部２１，２１間に着脱可能に装着されるアーム２３を有し、該アーム２２に安頭台２４が装着されている。車椅子２０の把持部２１，２１にアーム２３の両端２２，２２を固定することで、車椅子２０に安頭台２４を固定することができ、患者は車椅子２０に乗ったままの状態で、歯科治療を受けることができるようになっている。そして、このようなヘッドレストを車いすに装着すれば、歯科治療の際もアシスタントが患者の頭部を支える必要はなくなる。
【先行技術文献】
【特許文献】
【０００５】
【特許文献１】実開平７−７６２６号公報
【特許文献２】特開２０００−５２３６号公報
【発明の概要】
【発明が解決しようとする課題】
【０００６】
しかしながら、在宅診療先の車いすに、特許文献１あるいは特許文献２に開示されているようなヘッドレストがすべて装着されているとは限らない。そのため、歯科医が在宅診療を行う際は、診療のための治療用器具に加えて、上記のようなヘッドレストを携帯しなければならず、運搬において非常な負担となるばかりか、車いすへの取り付けのために診療以外の時間がかかるといった問題があった。また、患者が背もたれの低いソファーに着座して治療を受ける場合には、上記のようなヘッドレストを取付けることができないため、患者の頭部を安定して固定することはできないといった問題があった。
【０００７】
本発明は、これらの実情に鑑みてなされたものであり、軽量かつコンパクトであり、持ち運びが容易で、車いす等に設置することにより、着座した人の体位を安定して保持可能な可搬式バックレストに関する。
【課題を解決するための手段】
【０００８】
上記課題を解決するために、請求項１の発明は、可搬式バックレストであって、略四角形状のシート部材の両端にそれぞれ支柱を設けたことを特徴としたものである。
【０００９】
請求項２の発明は、請求項１の発明において、前記前記シート部材の前記支柱近傍位置に、面ファスナーを設けたことを特徴としたものである。
【００１０】
請求項３の発明は、請求項１の発明において、前記シートに複数の前記支柱装着部を設けたことを特徴としたものである。
【００１１】
請求項４の発明は、請求項１〜３のいずれか１の発明において、前記シート部材に、枕取付部材を設けたことを特徴としたものである。
【００１２】
請求項５の発明は、請求項１〜５のいずれか１の発明において、前記支柱が可撓性部材からなることを特徴としたものである。
【００１３】
請求項６の発明は、請求項５に記載において、前記支柱の剛性が長手方向の両端部で異なることを特徴としたものである。
【発明の効果】
【００１４】
本発明の可搬式バックレストによれば、軽量かつコンパクトであるため、医師等が巡回在宅診療を行う際に持ち運びが容易となる。また、車いす等に設置することにより、着座した人の後頭部付け根と可搬式バックレストとの間に枕を挿入することができるため、往診先においても、患者は椅子に座ったままの状態で、頭部を安定に保持されて診療を受けることができる。このため、患者は頭を維持する負担がなく、安心して診療を受けることができる。
【００１５】
また、診療中、アシスタントは、患者の頭部を押えている必要がないので、他の作業をすることができ、作業効率が向上する。また、術者は、往診先において、立位での診療が可能となり、楽な体勢で診療を行うことができる。
【図面の簡単な説明】
【００１６】
【図１】本発明の一実施例に係る可搬式バックレストを説明するための図である。
【図２】図１に示した可搬式バックレストを車いすに装着した例を説明するための図である。
【図３】本発明の他の実施例に係る可搬式バックレストを説明するための図である。
【図４】図３に示す可搬式バックレストの折り畳んだ状態を説明するための図である。
【図５】本発明のさらに他の実施例に係る可搬式バックレストを説明するための図である。
【図６】本発明のさらに他の実施例に係る可搬式バックレストを説明するための図である。
【図７】本発明の一実施例に係る可搬式バックレストを車いすに装着した例を説明するための図である。
【図８】従来の往診診療に用いるのに適した安頭台の例を説明するための図である。
【発明を実施するための形態】
【００１７】
以下、図面を参照しながら、本発明の可搬式バックレストに係る好適な実施の形態について説明する。以下の説明において、異なる図面においても同じ符号を付した構成は同様のものであるとして、その説明を省略する場合がある。
図１は、本発明の一実施例に係る可搬式バックレストを説明するための図である。
【００１８】
本発明の可搬式バックレスト１は、ほぼ四角形状のシート部材２の両端（対向する２辺の位置）に支柱３，３を設けたものである。シート部材２は、ナイロン生地や綿布などの比較的丈夫な素材からなっている。支柱３は、合成樹脂パイプや金属パイプなどの長尺の部材からなり、所定の可撓性を有していることが望ましい。シート部材２に支柱３を取り付ける方法としては、例えば、シート部材２の両端にそれぞれ支柱３を挿入可能な筒状の支柱装着部４を設け、この袋状の支柱装着部４に支柱３を挿入した状態で、支柱３の両端部の支柱装着部のシート部材２を縫い合わせることにより、支柱３がシート部材２から外れないようにしてもよく、あるいは、支柱装着部４の一方のみを縫い合わせて袋状にし、支柱３をシート部材２に着脱自在に設けるようにしてもよい。
【００１９】
図２は、図１に示した可搬式バックレストを車いすに装着した例を説明するための図である。可搬式バックレスト１は、往診先にて図示のように車椅子１０の背もたれ１１に立て掛けて使用する。その際、患者の後頭部付け根と可搬式バックレスト１との間に枕を挿入することが可能であるため、患者の背中から頭部にかけて安定してその体位を維持することができる。
【００２０】
図３は、本発明の他の実施例に係る可搬式バックレストを説明するための図であり、図３（Ａ）は患者の背中当たる表側、図３（Ｂ）は裏側、図３（Ｃ）は可搬式バックレストの一方を所定長さだけ巻き取った状態を示している。図に示す可搬式バックレスト１では、一方の支柱３の両端部近傍において、シート部材２の表裏両面に面ファスナー５ａ、５ｂを設けている。これにより、例えば、一方の支柱３側のシート部材２を巻き取ることにより、可搬式バックレスト１の幅をＬ１からＬ２に調整することが可能となっている。したがって、この実施例では、患者の背中の幅や肩幅に合わせて、可搬式バックレスト１の幅を調整することができる。なお、面ファスナー５ａ、５ｂの取り付け位置は、支柱３の両端部近傍に限らず、例えば、中央部に一か所受けるようにしてもよい。
【００２１】
また、可搬式バクレストの裏面中央部分には、図３（Ｂ）で示すように、面ファスナーを設けたベルト部材６を設けている。図４は、図３に示す可搬式バックレストの折り畳んだ状態を説明するための図であり、ベルト部材６は、可搬式バックレストを折り畳んだ状態で維持するための、緊縛部材として用いられる。これにより、可搬式バックシートはコンパクトとなり、持ち運びが容易となる。
【００２２】
図５は、本発明のさらに他の実施例に係る可搬式バックレストを説明するための図である。図に示す可搬式バックレスト１では、一方の支柱３側に、支柱装着部４を含む複数の支柱装着部４’、４’’を設けている。そして、これらの支柱装着部４、４’、４’’はそれぞれ、一方が解放された袋状とし、支柱３の装着位置を変更可能としている。このため、支柱３を挿入する位置を変更することにより、患者の背中の幅や肩幅に合わせて、可搬式バックレスト１の幅を調整することができる。
【００２３】
図６は、本発明のさらに他の実施例に係る可搬式バックレストを説明するための図である。この実施例では、可搬式バックシート１の上部に、枕７を取り付けるための枕取付け部材７として面ファスナー８ａを設けている。また、枕７側にも面ファスナー８ｂを設け、可搬式バックレスト１に対して枕７を簡単に取り付けることができるようにしている。ここで、可搬式バックシート１に設けた面ファスナー８ａの支柱３と平行な高さを長く設けておくことにより、枕７の取り付け位置を調整することが可能となる。なお、枕７は、患者の後頭部付け根と可搬式バックレスト１との間で挟持されるだけで、可搬式バックレスト１に固着しなくてもよいが、患者が頭を起こした際に、枕が落ちるのを防ぐために、何らかの方法で、可搬式バックレスト１と枕７とを固定しておくことが望ましい。
【００２４】
図７は、本発明の一実施例に係る可搬式バックレストを車いすに装着した例を説明するための図である。ここで、可搬式バックレスト１は、図１に示したものと同様であるが、支柱３の剛性を支柱３の長手方向の両端部で異ならせている。すなわち、支柱３の一方の端部側を剛性の高い部分ａとなるように構成し、他方の端部側を剛性の低い部分ｂとなるように構成している。支柱３としては、剛性が異なる２本の支柱をつなぎ合わせて一本の支柱としたものでもよく、あるいは、円柱状の支柱をその径が徐々に小さくなるように形成し、連続して剛性が変化するようにしたものを用いてもよい。
【００２５】
このため、例えば、図７（Ａ）で示すように、剛性の高い部分ａを上側にして用いる場合は、患者が可搬式バックレスト１にもたれ掛っても、支柱３の剛性が高いため、患者の頭部は大きく後ろに傾くことがない。また、図７（Ｂ）で示すように、剛性の低い部分ｂを上側にして用いる場合は、患者が可搬式バックレスト１にもたれ掛ると、支柱３の剛性が低いため、患者の頭部は、図３（Ａ）で示した剛性の高い部分ａを上側にして用いる場合よりも、大きく後ろに傾けることができる。このように、本実施例では、頭部を後方に傾斜させる際の角度を可搬式バックレスト１の上下の載置方向を変えることによって調整可能としている。なお、例えば、体格や頭の大きな患者の場合は剛性の高い部分ａを上側にして用い、体格や頭の小さい患者の場合は剛性の低い部分ｂを上側にして用いることにより、頭部を後方に傾斜させる際の角度が体格や頭の大きさの影響を受けにくくすることも可能となる。
【符号の説明】
【００２６】
１…可搬式バックレスト、２…シート部材、３…支柱、４…支柱装着部、５ａ，５ｂ，８ａ，８ｂ…面ファスナー、６…ベルト部材、７…枕、１０，２０…車椅子、１１…背もたれ、２１…把持部、２２…アームの両端、２３…アーム、２４…安頭台。
【図１】
2014151142.tif 000003
【図２】
2014151142.tif 000004
【図３】
2014151142.tif 000005
【図４】
2014151142.tif 000006
【図５】
2014151142.tif 000007
【図６】
2014151142.tif 000008
【図７】
2014151142.tif 000009
【図８】
2014151142.tif 000010